(57)【要約】【課題】スライド位置識別用表示の鮮明な表示を維持する。【解決手段】情報記録媒体を回転可能に収容するカートリッジ本体と、データの書き込みおよび消去を許容する許容位置（位置Ｐ１）からデータの書き込みおよび消去を規制する規制位置（位置Ｐ２）までの間においてカートリッジ本体の側壁１３に沿ってスライド可能にカートリッジ本体内に収容された誤消去防止プラグ７とを備え、カートリッジ本体は、許容位置にスライドさせた誤消去防止プラグ７によって閉塞される開口部（切り欠き１３ａ）が側壁１３に設けられると共に、誤消去防止プラグ７が規制位置にスライドさせられている旨を表すスライド位置識別用表示（マークＭ）が開口部を介して視認可能にカートリッジ本体における案内壁３２に印刷されて構成され、スライド位置識別用表示は、案内壁３２をその厚み方向で凹ませた凹部３２ａの底面に印刷されている。【選択図】図７
2007026525.tif 000002
【特許請求の範囲】
【請求項１】
情報記録媒体を回転可能に収容するカートリッジ本体と、前記情報記録媒体に対するデータの書き込みおよび消去を許容する許容位置から当該データの書き込みおよび消去を規制する規制位置までの間において前記カートリッジ本体の側壁に沿ってスライド可能に当該カートリッジ本体内に収容された誤消去防止プラグとを備え、
前記カートリッジ本体は、前記許容位置および前記規制位置の一方の位置に前記誤消去防止プラグをスライドさせたときに当該誤消去防止プラグによって閉塞される開口部が前記側壁に設けられると共に、前記誤消去防止プラグが他方の位置にスライドさせられている旨を表すスライド位置識別用表示が前記開口部を介して視認可能に当該カートリッジ本体における所定の内壁に印刷されて構成され、
前記スライド位置識別用表示は、前記内壁をその厚み方向で凹ませた凹部の底面に印刷されているカートリッジケース。
【請求項２】
前記内壁は、前記側壁と平行またはほぼ平行となるように形成されて前記誤消去防止プラグを前記許容位置および前記規制位置に案内する案内壁として機能する請求項１記載のカートリッジケース。
【発明の詳細な説明】
【技術分野】
【０００１】
カートリッジ本体内に誤消去防止プラグがスライド可能に収容されたカートリッジケースに関するものである。
【背景技術】
【０００２】
この種のカートリッジケースを備えた記録メディアとして、上ケースおよび下ケースを備えたカートリッジケース内に磁気テープを巻回したリールとライトプロテクト部材とが収容された磁気テープカートリッジが特開２００２−３５８７５７号公報に開示されている。この場合、ライトプロテクト部材は、下ケースの側壁と、側壁に対して平行に配設された内部壁との間に挟み込まれるようにしてカートリッジケース内に収容され、磁気テープに対するデータの書き込みが可能な書き込み可能位置（許容位置）からデータの書き込みを禁止する書き込み禁止位置（規制位置）までの間においてカートリッジケースの側壁に沿ってスライドさせられる。また、上下両ケースの側壁には、ライトプロテクト部材のスライド操作が可能な矩形状の開口部が形成され、下ケースの内部壁には、ライトプロテクト部材のスライド位置を視認させるための識別表示が設けられている。
【０００３】
この磁気テープカートリッジでは、ライトプロテクト部材を書き込み可能位置にスライドさせた状態において、カートリッジケースに形成された開口部と、ライトプロテクト部材の主壁に形成された視認窓とが連通する。したがって、内部壁に設けられた識別表示がカートリッジケースの開口部とライトプロテクト部材の視認窓とを介して視認可能となる。一方、ライトプロテクト部材を書き込み禁止位置にスライドさせた際には、カートリッジケースの開口部が、ライトプロテクト部材の主壁によって閉塞される。したがって、内部壁に設けられた識別表示の視認が規制されて、磁気テープカートリッジが書き込み禁止状態となっている旨の認識が可能となる。
【特許文献１】特開２００２−３５８７５７号公報（第２−５頁、図１−１３）
【発明の開示】
【発明が解決しようとする課題】
【０００４】
ところが、従来の磁気テープカートリッジには、以下の問題点がある。すなわち、従来の磁気テープカートリッジでは、ライトプロテクト部材のスライド位置を認識させるための識別表示が下ケースの内部壁に設けられている。この場合、この磁気テープカートリッジでは、内部壁および側壁の双方がライトプロテクト部材のスライド時に案内壁（ガイド壁）として機能するように構成されている。したがって、書き込み可能位置および書き込み禁止位置の間においてライトプロテクト部材をスライドさせる際に、ライトプロテクト部材が内部壁および側壁の各壁面に接触した状態が維持され、内部壁および側壁の各壁面がライトプロテクト部材によって擦られることとなる。このため、従来の磁気テープカートリッジには、内部壁に設けられている識別表示（スライド位置識別用表示）がライトプロテクト部材（誤消去防止プラグ）によって擦られて表示が不鮮明となり、その視認が困難になるという問題点がある。
【０００５】
本発明は、かかる問題点に鑑みてなされたものであり、スライド位置識別用表示の鮮明な表示を維持し得るカートリッジケースを提供することを主目的とする。
【課題を解決するための手段】
【０００６】
上記目的を達成すべく本発明に係るカートリッジケースは、情報記録媒体を回転可能に収容するカートリッジ本体と、前記情報記録媒体に対するデータの書き込みおよび消去を許容する許容位置から当該データの書き込みおよび消去を規制する規制位置までの間において前記カートリッジ本体の側壁に沿ってスライド可能に当該カートリッジ本体内に収容された誤消去防止プラグとを備え、前記カートリッジ本体は、前記許容位置および前記規制位置の一方の位置に前記誤消去防止プラグをスライドさせたときに当該誤消去防止プラグによって閉塞される開口部が前記側壁に設けられると共に、前記誤消去防止プラグが他方の位置にスライドさせられている旨を表すスライド位置識別用表示が前記開口部を介して視認可能に当該カートリッジ本体における所定の内壁に印刷されて構成され、前記スライド位置識別用表示は、前記内壁をその厚み方向で凹ませた凹部の底面に印刷されている。
【０００７】
また、本発明に係るカートリッジケースは、前記側壁と平行またはほぼ平行となるように形成されて前記誤消去防止プラグを前記許容位置および前記規制位置に案内する案内壁として機能するように前記内壁が構成されている。
【発明の効果】
【０００８】
本発明に係るカートリッジケースによれば、内壁をその厚み方向で凹ませた凹部の底面にスライド位置識別用表示を印刷したことにより、スライド位置識別用表示から離間させた状態で誤消去防止プラグをスライドさせることができる結果、誤消去防止プラグによってスライド位置識別用表示が擦られて不鮮明となる事態を確実に回避することができる。したがって、複数回に亘って誤消去防止プラグをスライドさせたとしても、スライド位置識別用表示を鮮明に視認させ得る状態を長期に亘って維持することができる結果、誤消去防止プラグがいずれの位置にスライドさせられているかを常に確実に認識させることができる。
【０００９】
また、本発明に係るカートリッジケースによれば、側壁と平行またはほぼ平行となるように内壁を形成することで案内壁として機能するように構成したことにより、例えば、単一の案内壁と側壁とによって誤消去防止プラグを案内する構成とは異なり、誤消去防止プラグをがたつかせることなくカートリッジケース内においてスムーズにスライドさせることができる。
【発明を実施するための最良の形態】
【００１０】
以下、添付図面を参照して、本発明に係るカートリッジケースの最良の形態について説明する。
【００１１】
図１に示すディスクカートリッジ１は、各種記録データの記録および再生が可能に構成されたカートリッジ式の情報記録媒体であって、ディスクトレイ５、シャッタ部材６，６および誤消去防止プラグ７などが光ディスク（本発明における情報記録媒体の一例：図示せず）と共にカートリッジケース２内に収容されて構成されている。また、カートリッジケース２は、互いに嵌合可能に（重ね合わせが可能に）形成された上シェル３および下シェル４を備えている。なお、このカートリッジケース２では、上シェル３および下シェル４が相俟って本発明におけるカートリッジ本体を構成し、両シェル３，４を重ね合わせることによって誤消去防止プラグ７や光ディスク等を収容可能な収容空間が形成される。また、実際には、光ディスクをチャッキングするためのプレートや、プレートを回動可能の保持する保持具等の各種部品が光ディスクと共にカートリッジケース２内（収容空間内）に収容されているが、本発明についての理解を容易とするために、これらについての図示および説明を省略する。
【００１２】
上シェル３は、図２に示すように、天板１２と、天板１２の外縁部に立設されてカートリッジケース２の側面部分を構成する側壁１３と、カートリッジケース２内（収容空間内）にディスク収容部を形成する隔壁１４とを備え、一例として、光透過性を有するポリカーボネートを用いて射出成形されている。また、上シェル３の側壁１３には、誤消去防止プラグ７を許容位置にスライドさせたときに誤消去防止プラグ７によって閉塞される切り欠き１３ａが形成されている。この場合、切り欠き１３ａは、後述するように下シェル４に形成された切り欠きと相俟って本発明における開口部を構成する。また、上シェル３の４つの角部のうちの１つには、誤消去防止プラグ７をスライド可能に収容するための収容部１５が形成されている。
【００１３】
具体的には、図３，４に示すように、上シェル３は、側壁１３に対して平行となるように天板１２に立設された案内壁３１，３２を備え、案内壁３１と側壁１３との間に挟み込むようにして誤消去防止プラグ７を収容可能に収容部１５が構成されている。案内壁３１は、案内壁３２や側壁１３等と相俟って誤消去防止プラグ７を規制位置および許容位置に案内する。この案内壁３２には、誤消去防止プラグ７を許容位置に係止させる係止用凹部（図３における左側の係止用凹部３１ａ）と、誤消去防止プラグ７を規制位置に係止させる係止用凹部（同図における右側の係止用凹部３１ａ）とが形成されている。案内壁３２は、本発明における内壁に相当し、案内壁３１と側壁１３との間に配設されている。この案内壁３２には、誤消去防止プラグ７のスライド位置を目視によって認識させるマークＭ（図８参照）を印刷するための凹部３２ａが側壁１３における切り欠き１３ａ（本発明における開口部）から臨む位置に形成されている。この場合、マークＭは、本発明におけるスライド位置識別用表示に相当し、一例として、赤色の塗料を用いて熱転写印刷（ホットスタンピング）やパッド印刷等の各種印刷方法によって凹部３２ａの底面に形成されている。また、凹部３２ａは、案内壁３２における側壁１３側の壁面を案内壁３２の厚み方向でディスク収容部に向けて凹ませることで形成されている。さらに、収容部１５には、案内壁３１，３２および側壁１３と相俟って誤消去防止プラグ７を案内するレール３３が形成されている。
【００１４】
下シェル４は、図１に示すように、一対の下シェル本体２１ａ，２１ｂを備えて、一例として、ポリカーボネートやＡＢＳ樹脂等の樹脂材料を用いて射出成形されている。具体的には、下シェル４（下シェル本体２１ａ，２１ｂ）は、底板２２と、底板２２の外縁部に立設されて上シェル３の側壁１３と相俟ってカートリッジケース２の側面部分を構成する側壁２３と、上シェル３の隔壁１４と相俟ってカートリッジケース２内にディスク収容部を形成する隔壁（図示せず）とを備えている。また、下シェル４の側壁２３には、上シェル３の側壁１３に形成された切り欠き１３ａと相俟って本発明にける開口部を構成する切り欠きが形成されている（図示せず）。さらに、下シェル４は、両下シェル本体２１ａ，２１ｂにおける底板２２，２２の間にディスクアクセス用の開口部２５が形成されるようにして、上シェル３に嵌合させられている（上シェル３に重ね合わせて一体化させられている）。この場合、開口部２５は、記録データの記録再生時において、カートリッジケース２内の光ディスクに対するディスクアクセス（記録再生装置によるチャッキングや、光学ヘッドを介してのレーザービームの照射等）が可能となるようにその開口幅（カートリッジケース２の幅方向に沿った長さ）や開口長（カートリッジケース２の挿入方向に沿った長さ）等が規定されている。
【００１５】
ディスクトレイ５は、円板状の底板と、底板の外縁部に立設された側壁とで光ディスクを載置可能な浅皿状に形成されて、光ディスクと共にカートリッジケース２内に回動可能に収容されている。シャッタ部材６は、ディスクトレイ５に対して回動可能に軸支された状態で、下シェル４とディスクトレイ５との間に挟み込まれるようにしてカートリッジケース２内に収容されている。このシャッタ部材６，６は、カートリッジケース２に対するディスクトレイ５の回動に伴い、ディスクトレイ５の底板と相俟って開口部２５を閉塞または開口する。
【００１６】
誤消去防止プラグ７は、図５，６に示すように、一例として、ＰＯＭ（ポリアセタール樹脂）を材料とする本体部７ａおよび閉塞部７ｂが一体成形されて構成されている。本体部７ａは、図５に示すように、上シェル３の係止用凹部３１ａに係合して誤消去防止プラグ７を許容位置および規制位置のいずれかに係止するための係止用凸部４１ａが形成されたアーム４１を備えている。また、図５，６に示すように、本体部７ａには、上シェル３における収容部１５のレール３３に係合可能な凹部４３，４３が形成されている。さらに、図６に示すように、本体部７ａには、誤消去防止プラグ７のスライド位置を記録再生装置等に検出させるための円柱状の検出用凸部４４が形成されている。一方、図５，６に示すように、閉塞部７ｂは、全体として平板状に形成されて誤消去防止プラグ７が許容位置にスライドさせられた際に、カートリッジケース２の開口部（上シェル３の切り欠き１３ａおよび下シェル４の切り欠き）を閉塞する。また、閉塞部７ｂには、カートリッジケース２の開口部を介して誤消去防止プラグ７をスライド操作するためのつまみ４５が形成されている。さらに、本体部７ａおよび閉塞部７ｂ間には、上シェル３における収容部１５の案内壁３２に係合可能な凹部４２が形成されている。
【００１７】
このディスクカートリッジ１では、誤消去防止プラグ７が許容位置（図７に破線で示す位置Ｐ１）にスライドさせられたときに光ディスクに対するデータの書き込みおよび消去が許容され、誤消去防止プラグ７が規制位置（同図に実線で示す位置Ｐ２）にスライドさせられたときに光ディスクに対するデータの書き込みおよび消去が規制される。したがって、ディスクカートリッジ１の使用に際しては、まず、同図に破線で示すように、誤消去防止プラグ７を許容位置にスライドさせる。この際には、誤消去防止プラグ７の閉塞部７ｂによってカートリッジケース２の開口部が閉塞され、開口部を介してのマークＭの視認が規制される。これにより、光ディスクに対するデータの書き込みおよび消去が許容されている旨を認識させることが可能となる。一方、光ディスクに記録したデータの保護を図るときには、同図に実線で示すように、誤消去防止プラグ７を規制位置にスライドさせる。この際には、閉塞部７ｂによる開口部が閉塞が解除され、図８に示すように、開口部を介してマークＭを視認することが可能な状態となる。これにより、光ディスクに対するデータの書き込みおよび消去が規制されている旨を認識させることが可能となる。
【００１８】
この場合、このディスクカートリッジ１では、上シェル３の案内壁３２に形成された凹部３２ａの底面にマークＭが印刷されている。したがって、図９に示すように、誤消去防止プラグ７を許容位置および規制位置の間においてスライドさせるときに、誤消去防止プラグ７がマークＭに接触することなく、案内壁３１，３２およびレール３３によって案内されてスライドする。したがって、マークＭが誤消去防止プラグ７によって擦られて表示が不鮮明となる事態が回避される。また、互いに平行となるように形成された案内壁３１，３２およびレール３３の３つによって誤消去防止プラグ７を案内する構成が採用されているこのディスクカートリッジ１では、収容部１５内において誤消去防止プラグ７が、がたつくことなくスムーズにスライドする。
【００１９】
このように、このカートリッジケース２およびディスクカートリッジ１によれば、案内壁３２をその厚み方向で凹ませた凹部３２ａの底面にマークＭ（スライド位置識別用表示）を印刷したことにより、マークＭから離間させた状態で誤消去防止プラグ７をスライドさせることができる結果、誤消去防止プラグ７によってマークＭが擦られて不鮮明となる事態を確実に回避することができる。したがって、複数回に亘って誤消去防止プラグ７をスライドさせたとしても、マークＭを鮮明に視認させ得る状態を長期に亘って維持することができる結果、誤消去防止プラグ７がいずれの位置にスライドさせられているかを常に確実に認識させることができる。
【００２０】
また、このカートリッジケース２およびディスクカートリッジ１によれば、本発明における内壁を側壁１３と平行となるように形成することで案内壁３２として機能するように構成したことにより、例えば、案内壁３１およびレール３３のみで誤消去防止プラグ７を案内する構成とは異なり、誤消去防止プラグ７をがたつかせることなくカートリッジケース２内においてスムーズにスライドさせることができる。
【００２１】
なお、本発明は、上記した構成に限定されない。例えば、上記のディスクカートリッジ１（カートリッジケース２）では、別個独立して上シェル３に取付け可能な下シェル本体２１ａ，２１ｂを有する下シェル４を備えてカートリッジケース２を構成しているが、本発明はこれに限定されず、上シェル３と、単一の下シェル（図示せず）と備えてカートリッジケースを構成することもできる。また、下シェル４に形成するディスクアクセス用の開口部は、ディスクカートリッジ１におけるカートリッジケース２の開口部２５のような前後方向に長い長方形形状の開口形状に限定されるものではなく、カートリッジケースの左右方向に長い長方形形状の開口形状や、方形形状のカートリッジケースにおける対角線方向に長い長方形形状の開口形状であってもよい。さらに、その開口長がカートリッジケース内に収容されている光ディスクの半径程度となるように形成することもできる。
【００２２】
また、本発明に係るディスクカートリッジは、上記のディスクカートリッジ１のようにカートリッジケース２内に光ディスクを収容したものに限定されず、光ディスクに代えて光磁気ディスクや磁気ディスク等の各種のディスク状情報記録媒体をカートリッジケース内に収容して構成することができる。さらに、本発明に係るカートリッジケースは、ディスク状の情報記録媒体を収容するものに限定されず、図１０に示すテープカートリッジ１Ａにおけるカートリッジケース２Ａのように、磁気テープを収容可能に構成することもできる。このカートリッジケース２Ａの収容部１５についても、上記のディスクカートリッジ１におけるカートリッジケース２のように案内壁３２の凹部３２ａにマークＭを形成することで、誤消去防止プラグ７のスライドに起因してマークＭが擦られて不鮮明となる事態を確実に回避することができる。
【００２３】
さらに、上記のディスクカートリッジ１では、本発明におけるスライド位置識別用表示として赤色のマークＭを凹部３２ａの底面に印刷した構成を採用しているが、スライド位置識別用表示は単色の印刷に限定されず、例えば、誤消去規制状態である旨を報知する文字列や記号をマークＭに代えて印刷することもできる。また、本発明におけるスライド位置識別用表示は、上記のディスクカートリッジ１のように誤消去防止プラグ７が規制位置にスライドしている状態において視認可能に形成する構成だけでなく、誤消去防止プラグ７が許容位置にスライドしている状態において視認可能に構成することもできる。
【図面の簡単な説明】
【００２４】
【図１】ディスクカートリッジ１の平面図である。
【図２】上シェル３の平面図である。
【図３】上シェル３における収容部１５近傍の平面図である。
【図４】図３におけるＡ−Ａ線断面図である。
【図５】誤消去防止プラグ７の底面図である。
【図６】図５におけるＢ−Ｂ線断面図である。
【図７】誤消去防止プラグ７を収容した状態における収容部１５近傍の平面図である。
【図８】誤消去防止プラグ７を収容した状態における収容部１５近傍の側面図である。
【図９】誤消去防止プラグ７を規制位置と許容位置との間でスライドさせている状態における収容部１５近傍の断面図である。
【図１０】テープカートリッジ１Ａの外観斜視図である。
【符号の説明】
【００２５】
１  ディスクカートリッジ
１Ａ  テープカートリッジ
２，２Ａ  カートリッジケース
３  上シェル
４  下シェル
７  誤消去防止プラグ
７ａ  本体部
７ｂ  閉塞部
１３  側壁
１３ａ  切り欠き
１５  収容部
３２  案内壁
３２ａ  凹部
４２  凹部
Ｍ  マーク
Ｐ１，Ｐ２  位置
【図１】
2007026525.tif 000003
【図２】
2007026525.tif 000004
【図３】
2007026525.tif 000005
【図４】
2007026525.tif 000006
【図５】
2007026525.tif 000007
【図６】
2007026525.tif 000008
【図７】
2007026525.tif 000009
【図８】
2007026525.tif 000010
【図９】
2007026525.tif 000011
【図１０】
2007026525.tif 000012